(57)【特許請求の範囲】
【請求項１】
筐体内に、複数のディスクが設置されるディスク設置部と、前記ディスク設置部でのディスク並び方向へ移動して前記ディスク設置部から選択されたディスクを保持する移動ユニットと、前記移動ユニットを前記ディスク並び方向へ移動させる駆動部材とが設けられたディスク装置において、
筐体側に回動自在に支持された押圧部材が設けられて、この押圧部材に、前記移動ユニットをその移動方向と交叉する交叉方向へ押圧する摺動部が形成され、前記押圧部材を前記交叉方向へ付勢する付勢部材が設けられており、
前記移動ユニットが前記ディスク並び方向へ移動して前記ディスク設置部内のディスクを選択する選択移動動作の際に、前記移動ユニットが、前記摺動部からの付勢力を受けながら前記摺動部を摺動することを特徴とする振動防止機構を備えたディスク装置。
【請求項２】
前記押圧部材には、前記摺動部に対して傾斜して設けられた加圧部が形成されており、前記移動ユニットが前記ディスク並び方向の移動終端の待機位置に至ったときに、前記加圧部により前記移動ユニットが前記移動終端方向へ付勢される請求項１記載の振動防止機構を備えたディスク装置。
【請求項３】
前記押圧部材は、前記摺動部の終端から外れる位置に設けられた軸を支点として回動自在に設けられ、前記移動ユニットには前記押圧部材による付勢力を受ける凸部が設けられている請求項１または２記載の振動防止機構を備えたディスク装置。
【請求項４】
前記移動ユニットの両側部がそれぞれ側板に移動自在に案内され、それぞれの側板には、前記移動部材を移動させる傾斜カムが形成された前記駆動部材が、前記移動ユニットの移動方向と交叉する方向へ移動するように設けられており、前記凸部は前記移動ユニットにおいて前記両側板の中間に設けられ、前記押圧部材の摺動部により、前記凸部が一方の側板側へ付勢される請求項３記載の振動防止機構を備えたディスク装置。
【請求項５】
筐体内に、複数のディスクが設置されるディスク設置部と、前記ディスク設置部でのディスク並び方向へ移動し前記ディスク設置部から選択されたディスクを保持する移動ユニットと、前記移動ユニットの両側部を前記移動方向へ案内する側板と、前記側板に沿って前記移動ユニットの移動方向と交叉する方向へ移動し且つ前記移動ユニットを前記ディスク並び方向へ移動させる傾斜カムが設けられた駆動部材と、が設けられたディスク装置において、
前記移動ユニットの少なくとも一方の側部には、移動ユニットの移動方向と交叉する方向に間隔を開けて一対の支持部が設けられて両支持部のそれぞれが前記駆動部材の前記傾斜カムに摺動しており、
前記一対の支持部の対向間隔の外側には、前記移動ユニットを押圧する押圧部材とこの押圧部材を付勢する付勢部材とが設けられ、前記移動ユニットが前記ディスク並び方向の移動終端の待機位置に至ったときに前記押圧部材により前記移動ユニットが前記移動終端方向へ付勢され、これにより前記移動ユニットには前記押圧部材に近い側の前記支持部を支点とする回動付勢力が作用し、前記押圧部材と遠い側の前記支持部が、前記押圧部材の押圧方向と逆方向に向けて前記傾斜カムに押圧されることを特徴とする振動防止機構を備えたディスク装置。
【請求項６】
前記押圧部材により前記移動ユニットを押圧する押圧箇所が、前記両側板の中間に位置している請求項５記載の振動防止機構を備えたディスク装置。
【発明の詳細な説明】
【０００１】
【発明の属する技術分野】
本発明は、例えば車載用として使用されるディスク選択式のディスク装置に係わり、特に外部振動が与えられたときのラットルノイズの発生を効果的に防止できるようにした振動防止機構を備えたディスク装置に関する。
【０００２】
【従来の技術】
図３は従来のマガジン式のディスク選択機能を有するディスク装置を示す側面図である。
【０００３】
ディスク装置１の筐体２内にはマガジンＭが装填される。マガジンＭ内には、複数枚のディスクＤが収納されている。ディスクＤは例えばＣＤ（コンパクトディスク）、ＤＶＤ（ディジタルバーサタイルディスク）などである。
【０００４】
筐体２内には、移動ユニットＵが設けられている。移動ユニットＵに設けられた支持ピン３，３は、筐体２の側板に垂直方向に形成された案内穴２ａ，２ａにガイドされて垂直方向へ移動可能とされている。移動ユニットＵは、マガジンＭ内のディスクＤを保持する機能を有し、また保持したディスクを回転駆動する回転駆動機構およびディスクＤに記録された信号を読み取る光ヘッドが搭載されている。
【０００５】
また、移動ユニットＵには、マガジンＭ内のいずれかのディスクをＹ１−Ｙ２方向へ搬送して、移動ユニットＵ内に取り込み、また移動ユニットＵ内からディスクＤをマガジンＭ内の空きスペースに戻すための移送機構が設けられている（図示せず）。
【０００６】
筐体２の側板の外側には、板材により形成された駆動部材４が設けられている。駆動部材４に形成された長穴４ａ，４ａは、筐体２の側板に固定されたガイドピン５，５にガイドされ、駆動部材４はＹ１−Ｙ２方向へ往復移動可能に支持されている。駆動部材４には、Ｙ方向とＺ方向に対して傾斜して形成された傾斜カム穴４ｂ，４ｂが形成されている。前記移動ユニットＵに設けられた支持ピン３，３は前記案内穴２ａ，２ａを通過して前記傾斜カム穴４ｂ，４ｂに挿入されている。なお、傾斜カム穴４ｂ，４ｂは、図３に示すように直線状のものの他に、傾斜の途中に複数の段差部を設けた階段状のものがある。
【０００７】
駆動部材４はモータなどの動力によりＹ１−Ｙ２方向へ駆動される。駆動部材４がＹ１方向へ駆動されると、傾斜カム穴４ｂ，４ｂにより移動ユニットＵがＺ１方向へ上昇させられ、駆動部材４がＹ２方向へ駆動されると、傾斜カム穴４ｂ，４ｂにより移動ユニットＵがＺ２方向へ下降させられる。駆動部材４の移動距離がリニアセンサなどにより検知され、この移動距離の制御により移動ユニットＵが所定の昇降高さに設定される。あるいは傾斜カム穴４ｂ，４ｂが階段状のものである場合には、各段差部が所定の昇降高さとされる。
【０００８】
これにより移動ユニットＵの高さ方向の駆動位置Ｐ１が決められ、移動ユニットＵがマガジンＭ内のいずれかのディスクＤを選択する位置に停止する。この駆動位置Ｐ１にてディスクＤが移動ユニットＵ内に取り込まれて保持され、ディスクＤに記録された信号の再生などが行われる。
【０００９】
上記ディスク装置１では、外部振動などが発生すると、筐体２の案内穴２ａ，２ａおよび駆動部材４の傾斜カム穴４ｂ，４ｂとのがたつき、および駆動部材４の傾斜カム穴４ｂ，４ｂと支持ピン３，３との間のがたつきによるラットルノイズが発生しやすい。
【００１０】
上記のラットルノイズは、移動ユニットＵがＺ１−Ｚ２方向へ移動してマガジンＭ内のディスクを選択する選択移動動作の際および移動ユニットＵが停止して選択したディスクを駆動する駆動位置Ｐ１にあるときに発生する。さらには、移動ユニットＵが最下段の待機位置Ｐ０に停止して、ディスクの駆動を行っていないときにも同様にラットルノイズが発生する。
【００１１】
そこで、従来のラットルノイズの防止対策としては、ディスク選択移動動作中の移動ユニットＵを常に上方へ付勢するコイルスプリング６を設けて、ディスク選択移動中での前記各部間のがたつきを吸収する構造が考えられている。あるいは、筐体２の底部に板ばね７を設け、待機位置Ｐ０に位置する移動ユニットＵを上方に付勢しつづけて、前記各部間のがたつきを防止する構造などが考えられている。
【００１２】
【発明が解決しようとする課題】
しかし、上記従来のディスク装置１では以下に示すような問題がある。
【００１３】
第１に、移動ユニットＵが選択移動動作中に、コイルスプリング６により移動ユニットＵに常に上向きの付勢力が与えられている構造では、移動ユニットＵを選択移動させる際の負荷が常に大きくなる。また移動ユニットＵが上方（Ｚ１方向）へ移動したときにはコイルスプリング６の付勢力が小さくなってラットルノイズの防止機能が低下し、逆に移動ユニットＵがＺ２方向へ移動させるときには移動ユニットＵに作用する負荷が最大になり、移動ユニットＵを下降させる動作に大きな電力を必要とする。
【００１４】
また、待機位置Ｐ０にある移動ユニットＵを板ばね７で付勢する構造では、待機位置Ｐ０でのラットルノイズを防止できるが、移動ユニットＵが移動しているときのノイズを防止することができない。
【００１５】
さらに待機位置Ｐ０にある移動ユニットＵを前記板ばね７で付勢する構造では、一対の支持ピン３，３のそれぞれを傾斜カム穴４ｂ，４ｂに均等に加圧することができず、また一対の長穴４ａ，４ａをガイドピン５，５のそれぞれに均等に加圧することが困難である。よって、いずれかの支持ピン３と傾斜カム穴４ｂとの間に隙間が形成され、またはいずれかのガイドピン５と長穴４ａとの間に隙間が形成されるなどし、たとえ板ばね７の付勢力を大きくしても、ラットルノイズを確実に防止できないことがある。
【００１６】
本発明は上記従来の課題を解決するためのものであり、ディスク選択移動中の移動ユニットに過大な負荷を与えることなく、ラットルノイズを確実に防止できる振動防止機構を備えたディスク装置を提供することを目的としている。
【００１７】
また本発明は、選択移動動作中の移動ユニットと待機位置にある移動ユニットに対し、同じ部材を用いてラットルノイズを防止できる振動防止機構を備えたディスク装置を提供することを目的としている。
【００１８】
さらに本発明は、待機位置にある移動ユニットに対して確実にラットルノイズを防止できる振動防止機構を備えたディスク装置を提供することを目的としている。
【００１９】
【課題を解決するための手段】
本発明は、筐体内に、複数のディスクが設置されるディスク設置部と、前記ディスク設置部でのディスク並び方向へ移動して前記ディスク設置部から選択されたディスクを保持する移動ユニットと、前記移動ユニットを前記ディスク並び方向へ移動させる駆動部材とが設けられたディスク装置において、
筐体側に回動自在に支持された押圧部材が設けられて、この押圧部材に、前記移動ユニットをその移動方向と交叉する交叉方向へ押圧する摺動部が形成され、前記押圧部材を前記交叉方向へ付勢する付勢部材が設けられており、
前記移動ユニットが前記ディスク並び方向へ移動して前記ディスク設置部内のディスクを選択する選択移動動作の際に、前記移動ユニットが、前記摺動部からの付勢力を受けながら前記摺動部を摺動することを特徴とするものである。
【００２０】
本発明では、移動ユニットが選択移動動作をする間に、押圧部材により移動ユニットがその同方向と交叉する方向へ付勢され、移動ユニットは押圧部材と摺動しながら移動する。よって移動ユニットが選択移動動作する間、移動ユニットに作用する負荷に大きな変動がなく、しかも移動ユニットのラットルノイズを有効に防止できる。
【００２１】
本発明では、ディスク設置部に、複数枚のディスクを収納したマガジンが装填されるものであってもよいし、または筐体内に設けられたディスク設置部内に、外部からディスクが重ねられるように収納されるものであってもよい。また移動ユニットはディスクを保持する機能のみを有し、移動ユニットに保持されたディスクが移動ユニットにより例えば待機位置へ移動させられ、この待機位置にある駆動手段にディスクが装填されるものであってもよい。あるいは移動ユニットにディスク駆動手段が搭載されているものであってもよい。
【００２２】
また、前記押圧部材には、前記摺動部に対して傾斜して設けられた加圧部が形成されており、前記移動ユニットが前記ディスク並び方向の移動終端の待機位置に至ったときに、前記加圧部により前記移動ユニットが前記移動終端方向へ付勢されるものであってもよい。
【００２３】
上記手段では、押圧部材により、選択移動動作中の移動ユニットのラットルノイズ防止と、待機位置にある移動ユニットのラットルノイズ防止の双方を行うことができる。
【００２４】
例えば、前記押圧部材は、前記摺動部の終端から外れる位置に設けられた軸を支点として回動自在に設けられ、前記移動ユニットには前記押圧部材による付勢力を受ける凸部が設けられているものとなる。
【００２６】
次に、本発明では、前記移動ユニットの両側部がそれぞれ側板に移動自在に案内され、それぞれの側板には、前記移動部材を移動させる傾斜カムが形成された前記駆動部材が、前記移動ユニットの移動方向と交叉する方向へ移動するように設けられており、前記凸部は前記移動ユニットにおいて前記両側板の中間に設けられ、前記押圧部材の摺動部により、前記凸部が一方の側板側へ付勢されるものとすることができる。
【００２７】
前記押圧部材で、移動ユニットの左右の支持部の中間を付勢することにより、移動ユニットのラットルノイズを確実に防止できる。
【００２８】
また本発明は、筐体内に、複数のディスクが設置されるディスク設置部と、前記ディスク設置部でのディスク並び方向へ移動し前記ディスク設置部から選択されたディスクを保持する移動ユニットと、前記移動ユニットの両側部を前記移動方向へ案内する側板と、前記側板に沿って前記移動ユニットの移動方向と交叉する交叉方向へ移動し且つ前記移動ユニットを前記ディスク並び方向へ移動させる傾斜カムが設けられた駆動部材と、が設けられたディスク装置において、
前記移動ユニットの少なくとも一方の側部には、前記交叉方向に間隔を開けて一対の支持部が設けられて両支持部のそれぞれが前記駆動部材の前記傾斜カムに摺動しており、
前記一対の支持部の対向間隔の外側には、前記移動ユニットを押圧する押圧部材とこの押圧部材を付勢する付勢部材とが設けられ、前記移動ユニットが前記ディスク並び方向の移動終端の待機位置に至ったときに前記押圧部材により前記移動ユニットが前記移動終端方向へ付勢され、これにより前記移動ユニットには前記押圧部材に近い側の前記支持部を支点とする回動付勢力が作用し、前記押圧部材と遠い側の前記支持部が、前記押圧部材の押圧方向と逆方向に向けて前記傾斜カムに押圧されることを特徴とするものである。
【００２９】
この場合も、前記押圧部材により前記移動ユニットを押圧する押圧箇所が、前記両側板の中間に位置していることが好ましい。
【００３０】
上記構造では、移動ユニットに設けられた一対の支持部が、駆動部材の傾斜カムにより昇降駆動される場合に、待機位置にある移動ユニットの１箇所を押圧部材で付勢するだけで、移動ユニットを確実に拘束してラットルノイズを防止できる。
【００３１】
【発明の実施の形態】
以下、本発明について図面を参照して説明する。
図１は本発明における実施の形態としてマガジン式のディスク選択機能を有するディスク装置の側面図、図２は図１のII方向から見たディスク装置の背面図を示し、Ａは移動ユニットが待機位置にある場合、Ｂは移動ユニットの選択移動動作中またはいずれかのディスクを選択した駆動位置にある場合を示している。
【００３２】
図１に示すディスク装置１１では、筐体１２の内部に設けられたディスク設置部に複数のディスクを収納したマガジンＭが装填される。またディスク設置部に対向する位置に、移動ユニットＵが上下方向へ移動自在に設けられている。
【００３３】
前記マガジンＭの内部には、複数のトレイＴが積層され、図示Ｙ１及びＹ２方向に引き出し自在に支持されている。前記各トレイＴには、例えばＣＤ（コンパクトディスク）またはＤＶＤ（ディジタルバーサタイルディスク）などのディスクＤがそれぞれ載置されている。前記移動ユニットＵは前記マガジンＭの出入り口Ｍａと対向する位置に設けられている。
【００３４】
移動ユニットＵには、ディスクＤを載せるターンテーブル、ディスクＤに所定の回転を与えるスピンドルモータ、ディスクＤを前記ターンテーブルとの間で保持するクランパとクランプアーム、さらにはディスクＤに情報を記録し、または記録されている情報を再生するためのピックアップ機構などからなるディスク駆動手段が搭載されており（図示せず）、これらは１つの可動ベース２０に設けられている。
【００３５】
前記可動ベース２０の両側面には、外側方向（図２のＸ１及びＸ２方向）に突出する支持ピン（支持部）２１および２２が設けられている。また可動ベース２０の背面には、図示Ｙ２方向に突出する係止ピン（凸部）１６が設けられている。
【００３６】
筐体１２の両側板１２Ａ，１２Ｂには、高さ方向（Ｚ方向）に伸びる垂直穴（案内穴）１２ａ，１２ｂが、後方のＹ２方向の背面１２Ｃには長孔１２ｃがそれぞれ穿設されている（図２参照）。
【００３７】
図１及び図２に示すように、筐体１２の両側板１２Ａ，１２Ｂには図示Ｘ１およびＸ２方向に移動する駆動部材１４が設けられている。この駆動部材１４には、複数の段差部を有して前記Ｘ１−Ｘ２方向および移動ユニット２０の昇降方向（Ｚ１−Ｚ２方向）に対して傾斜する傾斜カム孔１４ａおよび１４ｂが形成されている。そして、可動ベース２０の支持ピン２１，２２が、前記垂直穴１２ａ，１２ｂおよび傾斜カム孔１４ｂ，１４ｂに挿通されている。側板１２Ａに設けられている駆動部材１４と側板１２Ｂに設けられている駆動部材１４は互いに逆向きに駆動され、駆動部材１４と１４とでは、前記傾斜カム孔１４ａ，１４ｂが互いにＹ１−Ｙ２方向へ対称の向きに形成されている。また可動ベース２０の係止ピン１６は、筐体１２の背面１２Ｃの長孔１２ｃに挿通されている。
【００３８】
図２Ａ，Ｂに示すように、筐体１２の背面１２Ｃの内面には押圧部材として機能する押えレバー（押圧部材）１８が設けられている。図２Ａ及びＢに示す押えレバー１８は略扇形状をしており、図示下方（Ｚ２方向）の先端部の支点１８ａを中心に図示αおよびβ方向に回動自在に支持されている。前記押えレバー１８の図示左縁には摺動辺（摺動部）１８ｃが形成されており、この摺動辺１８ｃの下端には、前記摺動辺１８ｃに対して傾斜している加圧部１８ｂが形成されている。前記支点１８ａは、前記摺動辺１８ｃおよび加圧部１８ｂから外れる下端に設けられている。
【００３９】
押えレバー１８の図示Ｚ１方向の端部には掛止片１８ｄが一体に形成されている。前記掛止片１８ｄは、筐体１２の背面１２Ｃの上端よりもわずかに図示Ｚ１方向に突出している。前記背面１２Ｃの上端には掛止部１２ｄが形成されており、この掛止部１２ｄと前記押えレバー１８の掛止片１８ｄとの間には、コイルスプリングなどからなる付勢手段１９が架設され、押えレバー１８が図示β方向に付勢されている。なお前記付勢手段１９は、板ばねにより構成されていてもよい。
【００４０】
図２Ａに示すように、前記移動ユニットＵの可動ベース２０に設けられた係止ピン１６は、筐体１２の背面１２Ｃの長孔１２ｃ内をＺ１−Ｚ２方向へ移動自在であるが、前記背面１２Ｃの内側において、前記付勢部材１９の付勢力を受けた前記押えレバー１８の摺動辺１８ｃにより弾圧されている。
【００４１】
図２に示す背面１２Ｃにおいては、前記押えレバー１８と前記係止ピン１６との押圧箇所が、両側板側１２Ａ，１２Ｂおよび前記駆動部材１４，１４で移動ユニットＵを支持している両側部の中間に位置している。
【００４２】
また図１の側面図に示すように、前記押えレバー１８と前記係止ピン１６との押圧箇所が、一対の支持ピン２１と２２の対向間隔内に位置しておらず、前記押圧箇所が前記支持ピン２２よりも後方に位置している。
【００４３】
以下、上記振動防止機能を備えたディスク装置について説明する。
図１に示すこのディスク装置１１では、ユーザーよりディスクの選択指令が与えられると、図示しないモータなどの動力手段により前記駆動部材１４，１４がＹ１又はＹ２方向に移動させられる。左右の駆動部材１４，１４は互いに逆の方向へ駆動される。図１に示されている駆動部材１４が図示Ｙ２方向に移動させられ、逆側の駆動部材１４がＹ１方向へ駆動されると、可動ベース２０に突設されている支持ピン２１，２２が、駆動部材１４，１４の傾斜カム孔１４ａ，１４ｂおよび両側板１２Ａ，１２Ｂの垂直穴（案内穴）１２ａ，１２ｂに沿って下方（図示Ｚ２方向）に移動するため、筐体１２内の移動ユニットＵが下降させられる。また図１に示される駆動部材１４が図示Ｙ１方向へ逆側の駆動部材１４がＹ２方向へ移動させられると、前記支持ピン２１，２２が傾斜カム孔１４ａ，１４ｂおよび垂直穴１２ａ，１２ｂを上方（図示Ｚ１方向）に移動するため、移動ユニットＵは上昇させられる。移動ユニットＵの昇降動作が、マガジンＭ内のトレイＴおよびディスクＤを選択する選択移動動作である。
【００４４】
前記駆動部材１４，１４の傾斜カム孔１４ａ，１４ｂには複数の段差が形成されており、可動ベース２０の支持ピン２１，２２が前記各段差の水平な部分に至ったときに駆動部材１４，１４の移動を止めることにより、移動ユニットＵを筐体１２内の所定の高さの各駆動位置（マガジンＭ内のいずれかのトレイおよびディスクの選択位置）に設定される。これにより、各駆動位置では、マガジンＭ内の各層に対し移動ユニットＵを対向させることができ、両者の間におけるディスクＤの交換作業が確実に行われる。
【００４５】
図２Ａは、図１に示す前記駆動部材１４のＹ２方向の移動量が最大の場合であり、支持ピン２１，２２は最下部に位置しており、移動ユニットＵが待機位置Ｐ０にある。移動ユニットＵが待機位置Ｐ０にあるときは、いずれのディスクＤも選択しない停止状態である。また図２Ｂは図１に示す駆動部材１４がＹ１方向に最も移動した状態を示し、移動ユニットＵがマガジンＭ内の最上部のディスクＤを選択して駆動できる位置Ｐｎに設定されている。
【００４６】
図２Ａに示すように、移動ユニットＵが待機位置Ｐ０にあるとき、可動ベース２０に突設されている係止ピン１６が、筐体１２の背面１２Ｃの長孔１２ｃ内の下方縁部に位置する。このとき、付勢手段１９によって図示Ｘ２方向に付勢され、β方向に回動している押えレバー１８の加圧部１８ｂが、前記係止ピン１６を押圧力Ｆ１（但し押圧力Ｆ１は、方向がＦ１、大きさが｜Ｆ１｜からなるベクトル量である。）で長孔１２ｃの終端縁部の方向へ押し付ける。
【００４７】
このとき前記押圧力Ｆ１の垂直成分（Ｚ２方向の成分）は、可動ベース２０の背面側を筐体１２を移動終端方向（図示Ｚ２方向）へ押圧するため、支持ピン２２が傾斜カム孔１４ｂの下縁に押し付けられると共に、可動ベース２０は、支持ピン２２を支点として図１において反時計方向へ回動する方向へ付勢され、支持ピン２１が傾斜カム孔１４ａの上縁に押し付けられる。よって、支持ピン２１と２２はいずれもがたつくことなく各傾斜カム孔１４ａ，１４ｂに押し付けられ、移動ユニットＵは上下方向へ安定させられる。
【００４８】
同時に押えレバー１８の加圧部１８ｂによる押圧力Ｆ１の水平成分（Ｘ２方向の成分）が、可動ベース２０を図示Ｘ２方向の筐体１２の側板１２Ｂに押し付ける。これにより、待機位置Ｐ０に位置する移動ユニットＵは、垂直方向（Ｚ方向）および水平方向（Ｙ方向）のガタ付きがなくなり、ラットルノイズの発生を防止することができる。
【００４９】
また図１に示す駆動部材１４，１４がＹ２方向に移動すると、移動ユニットＵが待機位置Ｐ０から上方へ移動する。このとき選択移動動作の際、図２Ｂに示すように、可動ベース２０の係止ピン１６は、前記押えレバー１８の加圧部１８ｂを離脱し、直線状の摺動辺１８ｃを摺動し、且つこの摺動辺１８ｃによる押圧力Ｆ２（但し押圧力Ｆ２は、方向がＦ２、大きさが｜Ｆ２｜からなるベクトル量である。）でほぼＸ２方向の付勢力が与えられながら移動する。特に、Ｚ１方向への移動量が多くなるほど前記押圧力Ｆ２の水平成分が大きく作用する。よって、移動ユニットＵはＸ２方向の筐体１２の側板１２Ｂに押し付けられながら移動するため、昇降移動中のガタ付きがなくなり、ラットルノイズの発生を効果的に抑制することが可能となる。
【００５０】
しかも、移動ユニットＵが昇降移動する際に押えレバー１８の付勢力から得られる前記移動ユニットＵの移動負荷は過大になることがない。
【００５１】
以上のように、本発明の振動防止機構では、常に押えレバー１８が可動ベース２０の背面に突設された係止ピン１６に押圧力を与え続けることができるため、待機位置、駆動位置および選択移動動作中の全ての状態で移動ユニットＵのガタ付きを防止することができる。
【００５２】
なお上記構成では、図２に示すようにコイルスプリングで押えレバー１８を図示Ｘ２方向に引っ張ることにより付勢力を与えているが、その他例えば押えレバー１８のＸ１側に付勢手段１９′として板ばねを設け、この板ばねの弾性力により押えレバー１８にＸ２方向の付勢力を与えるものであってもよい。
【００５３】
【発明の効果】
以上詳述した本発明によれば、移動ユニットが選択移動動作を行うときに、移動ユニットに与えられる負荷が過大になることがなく、移動ユニットのラットルノイズを抑制できる。また同じ押圧部材を用いて、移動ユニットの選択移動動作中と待機状態の双方でラットルノイズを低減できる。さらに移動ユニットが待機位置にあるときに、移動ユニットの一部を付勢するだけで、移動ユニットを安定させることができる。
【図面の簡単な説明】
【図１】本発明における実施の形態としてマガジン式のディスク選択機能を有するディスク装置の側面図、
【図２】図１のII方向から見たディスク装置の背面図を示し、Ａは移動ユニットが待機位置にある場合、Ｂは移動ユニットが上方の駆動位置にある場合、
【図３】従来のマガジン式のディスク選択機能を有するディスク装置を示す側面図、
【符号の説明】
１１  ディスク装置
１２  筐体
１２Ａ，１２Ｂ  側板
１２Ｃ  背面
１２ａ，１２ｂ  垂直穴
１２ｃ  長孔
１４  駆動部材
１４ａ，１４ｂ  傾斜カム孔
１６  係止ピン（凸部）
１８  押えレバー（押圧部材）
１８ｂ  加圧部
１８ｃ  摺動辺（摺動部）
１９  付勢手段
２０  可動ベース
２１，２２  支持ピン（支持部）
Ｄ  ディスク
Ｍ  マガジン
Ｐ０  待機位置
Ｕ  移動ユニット
【図１】
0003784228.tif 000002
【図２】
0003784228.tif 000003
【図３】
0003784228.tif 000004